(57)【特許請求の範囲】
【請求項１】
複数のレンズから構成され、原稿からの反射光を異なる波長の光に対応する複数の主走査方向の１次元受光素子にそれぞれ結像させる画像読取光学系であって、
前記複数のレンズの一部であって、前記原稿からの反射光が通過し、屈折作用を持ち、レンズ面に曲率を有する少なくとも１つのレンズを、補正レンズブロックとして副走査方向に移動するレンズ移動手段を有することを特徴とする画像読取光学系。
【請求項２】
次の条件式を満足することを特徴とする請求項１に記載の画像読取光学系。
０＜Δ１＜Ａ／１０
但し、
Δ１：｜ΔＲ｜と｜ΔＢ｜とのうち大きい方の値
ΔＲ：前記補正レンズブロックを前記副走査方向にＸ（μｍ）移動させることで生じる、ｅ線に対するＣ線の主走査方向中心における相対的な前記副走査方向の色ずれ量（μｍ）
ΔＢ：前記補正レンズブロックを前記副走査方向にＸ（μｍ）移動させることで生じる、ｅ線に対するＦ線の主走査方向中心における相対的な前記副走査方向の色ずれ量（μｍ）
Ｘ：前記補正レンズブロックの前記副走査方向の移動量の最小ピッチ（μｍ）
Ａ：１次元受光素子の画素ピッチ（μｍ）。
【請求項３】
複数のレンズから構成され、原稿からの反射光を異なる波長の光に対応する複数の主走査方向の１次元受光素子にそれぞれ結像させる画像読取光学系であって、
前記複数のレンズの一部であって、前記原稿からの反射光が通過し、屈折作用を持ち、レンズ面に曲率を有する少なくとも１つのレンズを、補正レンズブロックとして前記主走査方向と平行な軸周りに回転するレンズ回転手段を有することを特徴とする画像読取光学系。
【請求項４】
次の条件式を満足することを特徴とする請求項１から３のいずれかに記載の画像読取光学系。
０＜φ／φｔ＜２
但し、
φ：前記補正レンズブロックのｅ線におけるパワー
φｔ：前記画像読取光学系全体のｅ線におけるパワー。
【請求項５】
前記副走査方向の光束幅を制限する光束規制部材と、
前記光束規制部材を、前記副走査方向に移動または前記主走査方向と平行な軸周りに回転させる光束規制調整手段とを有することを特徴とする請求項１から４のいずれかに記載の画像読取光学系。
【請求項６】
複数のレンズから構成され、原稿からの反射光を異なる波長の光に対応する複数の主走査方向の１次元受光素子にそれぞれ結像させる画像読取光学系であって、
前記複数のレンズの一部であって、屈折作用を持ち、レンズ面に曲率を有する少なくとも１つのレンズを通過する前記原稿からの反射光の、副走査方向の光束幅を制限する光束規制部材と、
前記光束規制部材を、前記副走査方向に移動または前記主走査方向と平行な軸周りに回転させる光束規制調整手段とを有することを特徴とする画像読取光学系。
【請求項７】
前記レンズは、前記副走査方向に短い異形形状であることを特徴とする請求項１から６のいずれかに記載の画像読取光学系。
【請求項８】
複数のレンズから構成され、原稿からの反射光を異なる波長の光に対応する複数の主走査方向の１次元受光素子にそれぞれ結像させる画像読取光学系の調整方法であって、
前記複数のレンズの一部であって、前記原稿からの反射光が通過し、屈折作用を持ち、レンズ面に曲率を有する少なくとも１つのレンズを、補正レンズブロックとして副走査方向に移動または前記主走査方向と平行な軸周りに回転することによって、波長の違いによる結像位置の前記副走査方向のずれを調整することを特徴とする画像読取光学系の調整方法。
【請求項９】
複数のレンズから構成され、原稿からの反射光を異なる波長の光に対応する複数の主走査方向の１次元受光素子にそれぞれ結像させる画像読取光学系の調整方法であって、
前記複数のレンズの一部であって、屈折作用を持ち、レンズ面に曲率を有する少なくとも１つのレンズを通過する前記原稿からの反射光の、副走査方向の光束幅を制限する光束規制部材を前記副走査方向に移動または前記主走査方向と平行な軸周りに回転することによって、波長の違いによる結像位置の前記副走査方向のずれを調整することを特徴とする画像読取光学系の調整方法。
【発明の詳細な説明】
【技術分野】
【０００１】
本発明は、デジタルカラー複写機やカラースキャナなどに用いられる画像読取光学系に関する。
【背景技術】
【０００２】
複数の色（例えばＲＧＢ）を読み取るために、それぞれ主走査方向に素子を配列した複数のラインリニアセンサ（１次元受光素子）を有し、読取画像からの光を画像読取光学系によって各色毎に分離してそれぞれラインリニアセンサに結像させて主走査方向の画像を一時に電気信号に変換し、反射鏡の移動などにより、読取領域を副走査方向に移動することで２次元のカラー画像を読み取る画像読取装置が公知である。
【０００３】
従来の画像読取光学系では、特許文献１および２に記載されているように、読取領域は主走査方向に１次元的であるにも拘わらず、光軸周りに回転対称な円形のレンズを用いている。これは、回転対称な形状が部品精度を確保し易いことに加え、レンズを光軸を中心に回転することで、レンズや玉枠の加工誤差などによる偏芯や合焦方向の誤差を相殺して系全体として光学性能の劣化が小さくなるように調芯するためである。
【特許文献１】特許第３４３０９３５号公報
【特許文献２】特開２００２−２３６３２８号公報
【０００４】
画像読取光学系によって分離した各色の光が、各リニアラインセンサに正しく結像していないと、例えば、黒色の文字画像のエッジ部分に色づきが発生するような色ずれが生じる。そのような色ずれは、得られた電気信号を演算処理する画像処理によって補正することが可能である。主走査方向の色ずれを補正する画像処理は、比較的演算負荷が低く安価な演算装置で達成できる。しかし、副走査方向の色ずれを補正するためには、より多くの情報を処理する必要があり、より高価な演算装置が求められたり、演算処理のために読取時間が長くなったりするため、光学系を調芯して補正の必要のない画像信号を得る方が現実的である。
【０００５】
また、主走査方向の解像度はリニアラインセンサの配列によって定められるので、解像度を上げるにはリニアラインセンサを高集積化する必要があり容易ではない。一方、副走査方向の解像度は、画像を読み取るピッチを小さくすることで高くすることができる。このため、主走査方向に比べて副走査方向の解像度を高く設定した画像読取装置が多く、結果的に、副走査方向の色ずれが目立ち易い。
【０００６】
近年、高画質化に加え、大口径化（スキャンスピードアップのための光量確保）および薄型化への要求が高まっている。大口径で薄型の読取装置を実現するには、読取に寄与しない部分を切除した異形形状（主に小判型）のレンズを採用することが有効である。しかしながら、レンズを異形形状にすることで、光軸周りに回転する調芯方法が適用できなくなり、高画質化、特に副走査方向の色ずれの補正ができないという問題があった。
【発明の開示】
【発明が解決しようとする課題】
【０００７】
そこで、前記問題点に鑑みて、本発明は、副走査方向に色ずれの小さい薄型の画像読取光学系を提供することを課題とする。
【課題を解決するための手段】
【０００８】
前記課題を解決するために、本発明による画像読取光学系の第１の態様は、複数のレンズから構成され、原稿からの反射光を異なる波長の光に対応する複数の主走査方向の１次元受光素子にそれぞれ結像させる画像読取光学系であって、前記複数のレンズの一部であって、前記原稿からの反射光が通過し、屈折作用を持ち、レンズ面に曲率を有する少なくとも１つのレンズを、補正レンズブロックとして副走査方向に移動するレンズ移動手段を有するものとする。
【０００９】
この構成によれば、レンズを副走査方向に移動することで、レンズの中心から副走査方向にずれた部分を使用して１次元受光素子に結像させる。レンズの中心を通過する光束は、全て直進するが、レンズの中心からずれた位置を通過する光束は、波長毎に異なる屈折率で副走査方向に屈折するので、波長毎に副走査方向に分離される。副走査方向に色ずれがある場合、色ずれと逆方向に光束が分離するようにレンズを移動すれば色ずれを相殺することができ、色ずれなく読取可能な画像読取光学系が提供できる。
【００１０】
また、本発明による画像読取光学系の第１の態様は、次の条件式を満足するものとするとよい。
０＜Δ１＜Ａ／１０
但し、Δ１は、前記補正レンズブロックの前記副走査方向の移動量の最小ピッチをＸ（μｍ）として、前記補正レンズブロックを前記副走査方向にＸ（μｍ）移動させることで生じる主走査方向中心のＣ線およびＦ線の、それぞれの１次元受光素子の結像面におけるｅ線に対する相対的な前記副走査方向の色ずれ量（μｍ）を、ΔＲおよびΔＢとしたときの、｜ΔＲ｜と｜ΔＢ｜とのうち大きい方の値であり、Ａは１次元受光素子の画素ピッチ（μｍ）である。
【００１１】
この構成によれば、Δ１をＡ／１０より小さくなるようにしたので、最小ピッチＸで補正レンズブロックを移動させた場合に精度確保が容易となる。この上限を超えると、補正レンズブロックの移動量に対する副走査方向の色ずれ量の変化が大きくなりすぎて、調整の追い込みが難しくなる。
【００１２】
また、本発明による画像読取光学系の第２の態様は、複数のレンズから構成され、原稿からの反射光を異なる波長の光に対応する複数の主走査方向の１次元受光素子にそれぞれ結像させる画像読取光学系であって、前記複数のレンズの一部であって、前記原稿からの反射光が通過し、屈折作用を持ち、レンズ面に曲率を有する少なくとも１つのレンズを、補正レンズブロックとして前記主走査方向と平行な軸周りに回転するレンズ回転手段を有するものとする。
【００１３】
この構成によれば、レンズを主走査方向に平行な軸周りに回転することで、光束はレンズを斜めに通過する。これによって、光束は、波長毎に副走査方向に異なる屈折率で屈折して副走査方向に分離される。副走査方向に色ずれがある場合、色ずれと逆方向に光束が分離するようにレンズを回転すれば色ずれを相殺することができ、色ずれなく読取可能な読取光学系が提供できる。
【００１４】
また、本発明による画像読取光学系の第１および第２の態様において、次の条件式を満足するとよい。
０＜φ／φｔ＜２
但し、φは、前記補正レンズブロックのｅ線におけるパワーであり、φｔは、前記画像読取光学系全体のｅ線におけるパワーである。
【００１５】
この構成によれば、レンズの移動による色ずれ量が大きすぎず、微細な色ずれ補正が可能になる。そして、補正レンズブロックのパワーが２を超えると補正レンズブロックの影響が大きく、移動量や回転量に対する副走査方向の色ずれ量が大きくなりすぎて、調整の追い込みが難しくなる。ただし、レンズの回転によって意図的な色ずれを発生させるためには、レンズのパワーが０でないことが必要である。
【００１６】
また、本発明による画像読取光学系の第３の態様は、複数のレンズから構成され、原稿からの反射光を異なる波長の光に対応する複数の主走査方向の１次元受光素子にそれぞれ結像させる画像読取光学系であって、前記複数のレンズの一部であって、屈折作用を持ち、レンズ面に曲率を有する少なくとも１つのレンズを通過する前記原稿からの反射光の、副走査方向の光束幅を制限する光束規制部材と、前記光束規制部材を、前記副走査方向に移動または前記主走査方向と平行な軸周りに回転させる光束規制調整手段とを有するものとする。
【００１７】
この構成によれば、波長によって焦点距離が異なるので、光束規制部材によって副走査方向に偏った光束を１次元受光素子に結像させることにより、焦点より前で１次元受光素子に結像する場合は光束規制部材の移動方向に、焦点より後ろで１次元受光素子に結像する場合は光束規制部材の移動と逆方向に結像画像の重心が移動する。また、光路規制部材を主走査方向に平行な軸周りに回転することで、１次元受光素子に結像する光束の副走査方向の焦点に対する入射角度を非対称に制限することができる。このとき、波長によって焦点位置が異なるため、波長毎に副走査方向に通過可能な光束の範囲が異なり、波長毎に結像画像の重心を移動できる。このように、光束規制部材の移動または回転によって読取光学系の色ずれを相殺できる。
【００１８】
また、本発明による画像読取光学系の第１から第３の態様において、前記レンズは、前記副走査方向に短い異形形状、好ましくは、副走査方向の両端が平行な平面であってもよい。
【００１９】
この構成によれば、読取光学系を薄型にできる。
【００２０】
また、本発明による画像読取光学系の調整方法の第１の態様は、複数のレンズから構成され、原稿からの反射光を異なる波長の光に対応する複数の主走査方向の１次元受光素子にそれぞれ結像させる画像読取光学系の調整方法であって、前記複数のレンズの一部であって、前記原稿からの反射光が通過し、屈折作用を持ち、レンズ面に曲率を有する少なくとも１つのレンズを、補正レンズブロックとして副走査方向に移動または前記主走査方向と平行な軸周りに回転することによって、波長の違いによる結像位置の前記副走査方向のずれを調整する方法とする。
【００２１】
通常、レンズの中心を通過する光束は全て直進するが、副走査方向にずれたレンズや主走査方向に平行な軸周りに傾斜したレンズを通過する光束は、波長毎に異なる屈折率で副走査方向に屈折するので、波長毎に副走査方向に分離される。副走査方向に色ずれがある場合、色ずれと逆方向に波長毎に光束を分離するように、レンズを移動または回転すれば１次元受光素子における色ずれを相殺することができる。
【００２２】
また、本発明による画像読取光学系の調整方法の第２の態様は、複数のレンズから構成され、原稿からの反射光を異なる波長の光に対応する複数の主走査方向の１次元受光素子にそれぞれ結像させる画像読取光学系の調整方法であって、前記複数のレンズの一部であって、屈折作用を持ち、レンズ面に曲率を有する少なくとも１つのレンズを通過する前記原稿からの反射光の、副走査方向の光束幅を制限する光束規制部材を前記副走査方向に移動または前記主走査方向と平行な軸周りに回転することによって、波長の違いによる結像位置の前記副走査方向のずれを調整する方法とする。
【００２３】
この方法によれば、波長毎に焦点位置が異なっているので、光束規制部材を移動または回転することで、１次元受光素子における結像画像の重心を変えて色ずれを相殺できる。
【発明の効果】
【００２４】
以上のように、本発明によれば、レンズを光軸周りに回転することなく、レンズまたは光束規制部材を副走査方向に移動、または、レンズまたは光束規制部材を主走査方向に平行な軸周りに回転することで、色ずれを小さくすることができる。このため、副走査方向に短いレンズで画像読取光学系を構成でき、画像読取装置の薄型化を可能にする。
【発明を実施するための最良の形態】
【００２５】
これより、本発明の実施形態について、図面を参照しながら説明する。
図１は、本発明の画像読取光学系１を有する画像読取装置２を示す。画像読取装置２は、本体３の上部に設けた原稿台ガラス４と、原稿台ガラス４を覆う原稿カバー５と、照明６および第１ミラー７を保持する第１スライダ８と、第２ミラー９および第３ミラー１０を保持する第２スライダ１１と、光路を制限する光束規制部材１２と、全体としてのパワー（焦点距離の逆数）が０．０２０８８のレンズ群１３と、それぞれ紙面奥行方向（主走査方向）に４．７μｍピッチで１列に整列し、原稿台ガラス４上で主走査方向に幅３０５ｍｍで６００ｄｐｉに相当する数の受光素子によって構成される赤（Ｒ）、緑（Ｇ）および青（Ｂ）の３本のラインリニアセンサからなる１次元受光素子１４とを有している。
【００２６】
図２に、レンズ群１３の副走査方向に沿って切断した断面を、図３にレンズ群１３の主走査方向に沿って切断した断面を、そして、図４に、レンズ群１３を光路規制部材１２側から光軸方向に見た図を示す。レンズ群１３は、玉枠１５に保持される第１レンズ１６、第２レンズ１７、第３レンズ１８、第４レンズ１９、第５レンズ２０および第６レンズ２１で構成され、いわゆるガウスタイプの６枚構成である。各レンズ１６〜２１の境界面は、図２において符号ａ〜ｊで表されるが、第２レンズ１７と第３レンズ１８、および、第４レンズ１９と第５レンズ２１は、それぞれ、対向する境界面ｄ，ｇを共有し、つまり、同じ曲率半径を有して互いに密接している。これによって、第２レンズ１７と第３レンズ１８、および、第４レンズ１９と第５レンズ２０は、それぞれ２つで１つのレンズブロックを構成する。一方、第１レンズ１６および第６レンズ２１は、それぞれ独立したレンズブロックである。
【００２７】
表１、表２および表３に、本実施形態で使用するレンズ１６〜２１の形状と材料のデータを示す。尚、表２に示すように、各レンズは、それぞれ回転軸対称な球面レンズの副走査方向両端が直線的に切除された異形形状（いわゆる小判型）をしている。また、表１には、図２には図示しないが、レンズ群１３の前後に設けられる部材や、第３レンズ１８と第４レンズ１９との間に設けられる開口絞りのデータも共に示す。
【００２８】
【表１】
0004415927.tif 000002
【００２９】
【表２】
0004415927.tif 000003
【００３０】
【表３】
0004415927.tif 000004
【００３１】
さらに、各レンズブロックおよびレンズ１３全体の焦点距離とパワー（焦点距離の逆数）を表４に示す。
【００３２】
【表４】
0004415927.tif 000005
【００３３】
以下に説明する全ての画像読取光学系１は、以上のレンズ群１３を有し、屈折作用（パワー）を有するのはレンズ群１３だけであるので、画像読取光学系１全体として０．０２０８９のパワーを有する。また、画像読取光学系１は、物像間距離が５１９ｍｍであり、倍率は−０．１１０２３６倍、Ｆナンバー（∞）は４．０である。
【００３４】
図２および図４に示すように、第１レンズ１６の上端（副走査方向の一端）と玉枠１５との間には波ワッシャ（弾性部材）２２が挟み込まれ、第１レンズ１６の下端（副走査方向の他端）と玉枠１５との間には厚み０．０２〜０．０３ｍｍ程度のスペーサ（レンズ移動手段）２３が複数枚挟み込まれている。第２から第６レンズは、中心が光軸（図においては一点鎖線で示している）に一致しているが、第１レンズ１６だけは、補正レンズブロックとして、光軸に対して副走査方向にずらして配置されている。図３および図４に示すように、第１レンズ１６は主走査方向の両端が接着剤２４によって玉枠１５に固定されている。
【００３５】
第１レンズ１６（補正レンズブロック）をずらして配置した効果を、図５に示す概略図を基に説明する。第１レンズ１６は、背面（境界面ｂ）が凹状の正のレンズであるが、図５では、分かりやすくするために、両面が凹状のパワーの大きいレンズとして示されている。第１レンズ１６が光軸に軸を合わせて配置されていれば、光軸中心を軸方向に入射する光束は、真っ直ぐに第１レンズ１６を貫通するが、図示するように第１レンズ１６が副走査方向にＸだけ移動させられると、光軸中心の光束は、第１レンズ１６に対して斜めに入射することになり、１次元受光素子１４の３本のラインリニアセンサがそれぞれ受光する赤色（波長６５６．２８ｎｍ）のＣ線ＬＲ、緑色（波長５４６．０７ｎｍ）のｅ線ＬＧおよび青色（波長４８６．１３ｎｍ）のＦ線ＬＢは、波長が短いほど大きな屈折率で屈折し、各色が分離される。結果として、１次元受光素子１４の結像面において、各色の光束は、それぞれ、光軸中心からｄＲ、ｄＧおよびｄＢだけずれた位置に結像することになる。
【００３６】
ここで読取画像の色ずれは、各色の相対的な位置のずれにより起こるので、中間波長の緑色を基準に赤色の色ずれ量をΔＲ＝ｄＲ−ｄＧ、緑色を基準に青色の色ずれ量をΔＢ＝ｄＢ−ｄＧとして表すことができる。
【００３７】
図６に、第１レンズ１６の副走査方向の移動量と、赤色および青色の画像の緑色に対する相対的な副走査方向の色ずれ量との関係を示す。このとき、第１レンズ１６を副走査方向に移動すると、赤色および青色の画像が緑色の画像に対して、同時に、それぞれΔＲおよびΔＢだけ副走査方向に色ずれする。よって、第１レンズ１６の移動量に対しする色ずれの調整感度は、ΔＲとΔＢとの絶対値の大きい方の値Δ１に依存する。本実施形態においては、図６に示すように、常に｜ΔＢ｜の方が｜ΔＲ｜よりも大きいので、Δ１＝｜ΔＢ｜であり、Δ１の第１レンズ１６の移動量に対する比は、０．０１７である。読取光学系１において、１次元受光素子１４の結像の色ずれを補正するために、また、図６には、１次元受光素子の主走査方向の端部での色ずれ量と中央部での色ずれ量とを示しているが、本実施形態では、主走査方向の位置によって色ずれ量は殆ど変化しない。
【００３８】
本実施形態のレンズ群１３は、先ず、玉枠１５に第２から第６レンズ１７〜２１を固定し、続いて、玉枠１５に第１レンズ１６を配置し、スペーサ２３の厚みを調整することで第１レンズ１６の副走査方向の位置を微調整する。このとき、波ワッシャ２２の弾性により、第１レンズ１６のガタつきを抑えることができる。レンズ群１３全体によって１次元受光素子１４に結像する赤色および青色の緑色に対する色ずれが最少となるように、第１レンズ１６の副走査方向の位置を決定したら、主走査方向の端部に接着剤２４を流し込んで第１レンズ１６を玉枠１５に対して完全に固定する。
【００３９】
スペーサ２３は、およそ１０μｍ（＝Ｘ）刻みに調整可能であるので、青色の色ずれ量Δ１（＝ΔＢ）は、およそ０．１７μｍとなり、１次元受光素子１４のピッチＡ（＝４．７μｍ）のおよそ１／３０であり、Ａ／１０を超えておらず、精度確保が容易となっている。また、第１レンズ１６のｅ線におけるパワーφは、０．０２６０７であり、読取光学系１全体のｅ線におけるパワーφｔは０．０２０８９である。これにより、φ／φｔ＝１．２５となり、２より小さいため、移動量に対する副走査方向の色ずれ量の変化が大きくなりすぎて調整の追い込みが難しくなることがない。
【００４０】
続いて、図７および図８に、本発明の第２実施形態の画像読取光学系１のレンズ群１３を示す。尚、第１実施例と同じ構成要素には同じ符号を付して説明を省略する。
本実施形態のレンズ群１３は、波ワッシャ２２に代えて発泡樹脂からなる弾性部材２５が用いられ、スペーサ２３の代わりに２つの虫ねじ（レンズ移動手段）２６を有する。
【００４１】
本実施形態のレンズ群１３では、２つの虫ねじ２６を締め込んでゆくと第１レンズ１６（補正レンズブロック）が副走査方向に移動するので、スペーサ２３を交換するよりも作業が容易である。
【００４２】
さらに、図９に、本発明の第３実施形態の画像読取光学系１のレンズ群１３を示す。
本実施形態において、第１レンズ１６は副走査方向に移動不能である。第６レンズ２１は、下端が玉枠１５の光軸に直角な壁面２７に当接し、上端が玉枠１５の光軸に直角な壁面２８に弾性部材２９を介して虫ねじ（レンズ回転手段）３０によって押し付けられている。
【００４３】
第６レンズ２１は、壁面２７に当接する下端を中心に上端が光軸方向に揺動できる。つまり、主走査方向と平行な回転軸周りに回転して位置決め可能な補正レンズブロックとして機能する。
【００４４】
図１０に、第６レンズ２１の回転による色ずれの概要を示す。副走査方向高さＨの第６レンズ２１を主走査方向と平行な軸周りに角度θだけ回転するためには、第６レンズ２１の上端を光軸方向にＹ＝Ｈｔａｎθだけ移動させればよい。第６レンズ２１を傾斜させると、第６レンズ２１に入射した光束は、波長毎に、屈折率の違いにより、図示するＣ線ＬＣ、ｅ線ＬｄおよびＦ線ＬＦのように各色が分離される。
【００４５】
図１１に、第３実施形態における第６レンズ２１の回転角度と、緑色（ｅ線ＬＧ）を基準とした赤色（Ｃ線ＬＲ）の結像の色ずれ量ΔＲおよび緑色（ｅ線ＬＧ）を基準とした青色（Ｆ線ＬＢ）の結像の色ずれ量ΔＢとの関係を示す。図示するように、第６レンズ２１の回転による色ずれ量は、赤色（ΔＲ）よりも青色（ΔＢ）の方が大きくなっており、両色とも光軸中心よりも主走査方向端部の方が色ずれ量が大きくなっている。
【００４６】
また、第６レンズ２１のｅ線におけるパワーφは、０．２１５１であり、読取光学系１全体のｅ線におけるパワーφｔは０．０２０８９である。これにより、φ／φｔ＝１．０３となり、２より小さいため、移動量に対する副走査方向の色ずれ量の変化が大きくなりすぎて調整の追い込みが難しくなることがない。
【００４７】
図１２に、本発明の画像読取光学系１の第４実施形態のレンズ群１３を示す。第３実施形態において第６レンズ２１を下端を中心に回転すると、第６レンズ２１の中心が余弦誤差によって光軸中心からずれてしまうが、本実施形態は、第６レンズ２１の下端を副走査方向に移動する虫ピン３１が設けられているので、第６レンズ２１の中心を光軸中心から外れないようにすることができる。
【００４８】
図１３に、本発明の第５実施形態の画像読取光学系１の光束規制部材１２を示す。光束規制部材１２は、主走査方向の両側が副走査方向に広い開口３２を有し、固定部材３３に支持され、３つの調整ねじ（光路規制部材調整手段）３４によって副走査方向に平行移動して位置決めすることができるようになっている。
【００４９】
図１４および図１５に、本実施形態の画像読取光学系１による１次元受光素子１４への結像の概略を示す。図１４は、光路規制部材１２が光軸中心に保持されている場合である。開口３２を通してレンズ群１３を通過した光束は、光軸上に焦点を結ぶが、その波長に応じて合焦位置が異なる。正の単レンズにおいては、波長が短いほど近くに焦点を結ぶが、本実施形態のように、複数のレンズを組み合わせた系（一般に２波長間で色消しされたレンズ系）では、短波長で遠くに焦点を結び、波長が長くなるに従って徐々に焦点位置が近くなっていき、ある波長を境に再び焦点位置が遠ざかっていくことになる。すなわち、図１４に示すように、赤色（Ｃ線ＬＲ）の焦点ＦＲ、緑色（ｅ線ＬＧ）の焦点ＦＧおよび青色（Ｆ線ＬＢ）の焦点ＦＢは、レンズ群１３に近い方から、ＦＧ、ＦＢ、ＦＲの順に並ぶ。
【００５０】
図１５に示すように、光束規制部材１２を副走査方向上方に移動すると、副走査方向に偏った光束がレンズ群１３に入射し、それぞれ、各色はそれぞれ図１４と同じ位置に合焦する。しかし、各色の光束の合焦位置とずれた位置にある１次元受光素子１４において、各色の光束ＬＲ，ＬＧ，ＬＢは、副走査方向に幅のある結像ＩＲ，ＩＧ，ＩＢとなる。よって、各結像ＩＲ，ＩＧ，ＩＢの中心位置は、光軸中心に対して副走査方向にずれたものになる。
【００５１】
図１６に、本実施形態の画像読取光学系１における、光束規制部材１２の副走査方向の移動量と、緑色（ｅ線ＬＧ）を基準とした赤色（Ｃ線ＬＲ）の結像の色ずれ量ΔＲおよび緑色（ｅ線ＬＧ）を基準とした青色（Ｆ線ＬＢ）の結像の色ずれ量ΔＢとの関係を示す。光束規制部材１２の移動量に対して、光軸中心では赤色の色ずれ量ΔＲが青色の色ずれ量ΔＢより大きくなっているが、主走査方向の端部においては青色の色ずれ量ΔＢが赤色の色ずれ量ΔＲより大きくなっている。
【００５２】
また、図１７に示す本発明の第６実施形態のように、副走査方向に移動可能な光束規制部材１２をレンズ群１３の後方に設けても、波長による結像位置の副走査方向の差異を調整することができる。
【００５３】
また、図１８に示す本発明の第７実施形態のように、副走査方向に移動可能な光束規制部材１２を主走査方向に平行な軸周りに回転することでも、波長による結像位置の副走査方向の差異を調整することができる。尚、光束規制部材１２の回転軸の位置によっては、光束規制部材１２を回転すると、結像ＩＲ，ＩＧ，ＩＢが全体的に副走査方向に移動する。本実施形態においては、結像ＩＲ，ＩＧ，ＩＢの全体的な移動を低減するために、光束規制部材１２を、副走査方向に光軸からずれた軸周りに回転させている。また、光束規制部材１２を光軸と交差する軸周りに回転させる場合も、光束規制板１２を主走査方向から見て、くの字型の断面を有するものとすれば、結像ＩＲ，ＩＧ，ＩＢの全体的な移動を低減することができる。
【図面の簡単な説明】
【００５４】
【図１】本発明の画像読取光学系を有する画像読取装置の構成図。
【図２】図１の画像読取光学系のレンズ群の副走査方向断面図。
【図３】図１の画像読取光学系のレンズ群の主走査方向断面図。
【図４】図１の画像読取光学系のレンズ群を光軸方向から見た図。
【図５】図１の第１レンズの移動による色ずれの原理を示す概略図。
【図６】図１の第１レンズの移動量と副走査方向の色ずれの関係を示すグラフ。
【図７】本発明の第２実施形態の画像読取光学系のレンズ群の副走査方向断面図。
【図８】図７の画像読取光学系のレンズ群を光軸方向から見た図。
【図９】本発明の第３実施形態の画像読取光学系のレンズ群の副走査方向断面図。
【図１０】図９の第６レンズの回転による色ずれの原理を示す概略図。
【図１１】図９の第６レンズの回転量と副走査方向の色ずれの関係を示すグラフ。
【図１２】本発明の第４実施形態の画像読取光学系のレンズ群の副走査方向断面図。
【図１３】本発明の第５実施形態の画像読取光学系の光路規制部材を光軸方向から見た図。
【図１４】図１３の光路規制部材が光軸中心にあるときの結像状態を示す概略図。
【図１５】図１３の光路規制部材が副走査方向に移動したときの結像状態を示す概略図。
【図１６】図１３の光路規制部材の移動量と副走査方向の色ずれの関係を示すグラフ。
【図１７】本発明の第６実施形態の色ずれの原理を示す概略図。
【図１８】本発明の第７実施形態の色ずれの原理を示す概略図。
【符号の説明】
【００５５】
１  画像読取光学系
１２  光束規制部材
１３  レンズ群
１４  １次元受光素子
１５  玉枠
１６  第１レンズ
２１  第６レンズ
２２  波ワッシャ（弾性部材）
２３  スペーサ（レンズ移動手段）
２４  接着剤
２５  弾性部材
２６  虫ねじ（レンズ移動手段）
２９  弾性部材
３０  虫ねじ（レンズ回転手段）
３１  虫ねじ
３４  調整ねじ（光束規制調整手段）
ＬＲ  Ｃ線
ＬＧ  ｅ線
ＬＢ  Ｆ線
ΔＲ  緑色に対する赤色のずれ量
ΔＢ  緑色に対する青色のずれ量
【図１】
0004415927.tif 000006
【図２】
0004415927.tif 000007
【図３】
0004415927.tif 000008
【図４】
0004415927.tif 000009
【図５】
0004415927.tif 000010
【図６】
0004415927.tif 000011
【図７】
0004415927.tif 000012
【図８】
0004415927.tif 000013
【図９】
0004415927.tif 000014
【図１０】
0004415927.tif 000015
【図１１】
0004415927.tif 000016
【図１２】
0004415927.tif 000017
【図１３】
0004415927.tif 000018
【図１４】
0004415927.tif 000019
【図１５】
0004415927.tif 000020
【図１６】
0004415927.tif 000021
【図１７】
0004415927.tif 000022
【図１８】
0004415927.tif 000023